(57)【特許請求の範囲】
【請求項１】
柱間に取り付けられた壁材を撤去し、前記柱間に収納家具を構成する板部材を固定し、この板部材に前記収納家具の他の部材を取り付ける耐震補強工法であって、
室内外方向へ傾斜している柱に添え柱を当接し、前記添え柱を床面に対して鉛直に配置して前記柱に前記添え柱を固定し、この添え柱に前記板部材を固定する
ことを特徴とする耐震補強工法。
【請求項２】
前記板部材は、前記収納家具の背板であり、
前記他の部材によって、背板を除く前記収納家具のユニットを予め組み立てておき、柱間に前記背板を取り付けた後、その背板に前記ユニットを組みつける
ことを特徴とする請求項１に記載の耐震補強工法。
【請求項３】
予め収納家具を組み立てておき、
柱間に取り付けられた壁材を撤去した後に、前記収納家具を構成する板部材を前記柱間に固定して収納家具を設置する耐震補強工法であって、
室内外方向へ傾斜している柱に添え柱を当接し、前記添え柱を床面に対して鉛直に配置して前記柱に前記添え柱を固定し、この添え柱に前記板部材を固定する
ことを特徴とする耐震補強工法。
【請求項４】
前記板部材が固定される柱と横柱とを金具で連結する
ことを特徴とする請求項１から請求項３までのいずれかに記載の耐震補強工法。
【請求項５】
前記板部材は、前記柱または前記添え柱に、ネジが所定間隔でねじ込まれて、または釘が所定間隔で打ち込まれて固定される
ことを特徴とする請求項１から請求項４までのいずれかに記載の耐震補強工法。
【発明の詳細な説明】
【技術分野】
【０００１】
本発明は、住宅の耐震性を向上させる耐震補強工法に関するものである。
【背景技術】
【０００２】
住宅の耐震性を向上させるために各種の耐震補強工事が行われている。たとえば、多数の金具により柱同士を連結したり、筋交いを入れたりしている。これにより、地震などによる倒壊の防止が図られている。
【発明の概要】
【発明が解決しようとする課題】
【０００３】
しかしながら、従来のいずれの工法も補強工事のみを目的とするものであった。
【０００４】
そこで、本発明は、補強工事を行うことにより、同時に、収納スペースが確保でき、あるいは、収納家具の設置ができる家屋の耐震補強工法を提供することにある。
【課題を解決するための手段】
【０００５】
本発明は、前記課題を解決するためになされたものであって、請求項１に記載の発明は、柱間に取り付けられた壁材を撤去し、前記柱間に収納家具を構成する板部材を固定し、この板部材に前記収納家具の他の部材を取り付ける耐震補強工法であって、室内外方向へ傾斜している柱に添え柱を当接し、前記添え柱を床面に対して鉛直に配置して前記柱に前記添え柱を固定し、この添え柱に前記板部材を固定することを特徴とする耐震補強工法である。
【０００６】
請求項２に記載の発明は、前記板部材は、前記収納家具の背板であり、前記他の部材によって、背板を除く前記収納家具のユニットを予め組み立てておき、柱間に前記背板を取り付けた後、その背板に前記ユニットを組みつけることを特徴とする請求項１に記載の耐震補強工法である。
【０００７】
請求項３に記載の発明は、予め収納家具を組み立てておき、柱間に取り付けられた壁材を撤去した後に、前記収納家具を構成する板部材を前記柱間に固定して収納家具を設置する耐震補強工法であって、室内外方向へ傾斜している柱に添え柱を当接し、前記添え柱を床面に対して鉛直に配置して前記柱に前記添え柱を固定し、この添え柱に前記板部材を固定することを特徴とする耐震補強工法である。
【０００８】
請求項４に記載の発明は、前記板部材が固定される柱と横柱とを金具で連結することを特徴とする請求項１から請求項３までのいずれかに記載の耐震補強工法である。
【００１１】
さらに、請求項５に記載の発明は、前記板部材は、前記柱または前記添え柱に、ネジが所定間隔でねじ込まれて、または釘が所定間隔で打ち込まれて固定されることを特徴とする請求項１から請求項４までのいずれかに記載の耐震補強工法である。
【発明の効果】
【００１２】
本発明の耐震補強工法によれば、収納スペースを確保したり、収納家具を造り付けしたりしながら家屋の耐震補強を行うことができる。
【図面の簡単な説明】
【００１３】
【図１】本発明の耐震補強工法の一実施例を示す分解斜視図である。
【図２】図１の本棚の背板と側板の連結方法を示す分解斜視図である。
【図３】図１の本棚の背板と側板の連結状態を示す断面図である。
【図４】柱に本棚を固定した状態を側面から見た断面図である。
【図５】柱に本棚を固定した状態を平面から見た断面図である。
【図６】図１の本棚の変形例を示す図であり、柱に固定した状態を断面にして示している。
【図７】図１の本棚のさらに別の変形例を示す図であり、柱に固定した状態を断面にして示している。
【図８】柱に本棚の一方の側板を固定して、本棚を設置する状態を示す断面図である。
【図９】本棚の背板を直接柱に固定して本棚を設置した状態を示す断面図である。
【図１０】本発明の耐震補強工法の別の実施例を示す図であり、（ａ）は正面図、（ｂ）は平面から見た断面図である。
【図１１】本発明の耐震補強工法のさらに別の実施例を示す斜視図である。
【発明を実施するための形態】
【００１４】
以下、本発明の耐震補強工法の一実施例について図面に基づいて具体的に説明する。
【００１５】
図１は、本発明の耐震補強工法の一実施例を示す分解斜視図である。
【００１６】
本実施例の耐震補強工法は、典型的には中古住宅、特に木造の中古住宅に適用される。木造住宅は、通常、土台となる横柱１に立設された多数の柱３，３…，３の室外側および室内側に矩形状の板材が取り付けられて外壁および内壁が構成されている。本実施例では、柱３の室内側に取り付けられた板材（面材）５の一部を撤去して、柱３に新たに収納家具を固定することで耐震補強を行う。本実施例では、収納家具として本棚１１が使用される。
【００１７】
本棚１１は、水平に配置される矩形板状の底板１３と、この底板１３の幅方向両端部に上方へ向けて鉛直に固定される側板１５，１５と、一対の側板１５，１５の上部同士を連結する天板１７と、これら板材１３，１５，１５，１７により構成される矩形状の枠体の後面を塞ぐ背板１９とを主要部に備える。
また、図示例では、天板１７および底板１３の幅方向中央部同士を連結するように仕切板２１が設けられており、天板１７および底板１３は左右に二分割されている。さらに、各側板１５と仕切板２１との間には棚板２３が上下に離隔して複数枚設けられている。なお、複数の棚板２３の一部または全部は、上下に取り付け位置を変更可能とされる。各板材１３，１５，１７，１９，２１，２３は、無垢材、メラミンボードまたは突板などの仕上材により形成されている。
【００１８】
本棚１１は、予め、背板１９を除いた部材が組み立てられて本棚本体部２５が形成されている。つまり、底板１３、側板１５，１５、天板１７、仕切板２１および棚板２３が組み立てられてユニットとしての本棚本体部２５が構成されている。
また、本実施例では、底板１３の下部に矩形枠状の台輪５７が設けられ、本棚１１は台輪５７を介して床面ｆに接地する。また、本棚１１の上部には幕板５９が取り付けられ、この幕板５９は天井ｃに接する。
【００１９】
図２は、背板と側板の連結方法を示す分解斜視図である。
図３は、背板と側板の連結状態を示す断面図である。
【００２０】
図１から図３に示すように、背板１９には、その左右両端辺部に、上下に離間して複数のピン２７が取り付けられる。そのために、背板１９の左右両端部には、それぞれ上下に離隔して複数のネジ穴が前方へ開口して形成されている。本実施例では、背板１９に、３つのネジ穴が上下に等間隔に離隔して形成されている。
【００２１】
ピン２７は、丸棒状とされ、その先端部２７ａの外周面にはネジが形成されている。ピン２７の基端部には、その外周面に周方向に沿って環状の溝２７ｂが形成されている。また、ピン２７は、溝２７ｂより基端側が略球状に形成されると共に、その基端は平坦面に形成されている。ピン２７は、その先端部２７ａが、背板１９のネジ穴にねじ込まれて背板１９に取り付けられる。
【００２２】
次に、本実施例の耐震補強工法の手順について説明する。
まず、柱３の室内側に固定された板材（面材）５の内、たとえば１枚を撤去する。そして、図１において、左右に離間した柱３（３Ａ），３（３Ｂ）の側面にそれぞれ添え柱３１を固定する。添え柱３１は、断面矩形状の柱材とされ、ネジまたは釘などにより柱３に固定される。本実施例では、左側の柱３Ａの右側面と、右側の柱３Ｂの左側面にそれぞれ添え柱３１がネジにより固定される。また、図示例では、添え柱３１は、柱３より上下寸法が短く、土台を構成する横柱１と上側の横柱３５との間にそれぞれ隙間を形成した状態で柱３に固定される。そして、横柱１と柱３および横柱３５と柱３を連結するように金属製の略Ｌ字形の補助具３７を固定する。補助具３７は、一端部が横柱１，３５にネジで固定されると共に、他端部が柱３にネジで固定される。なお、図示例では、柱３と柱３の間に、間柱４０が設けられている。
【００２３】
図４は、柱に本棚を固定した状態を側面から見た断面図である。
図５は、柱に本棚を固定した状態を平面から見た断面図である。
【００２４】
次に、背板１９を添え柱３１に固定する。具体的には、背板１９の幅方向両端部を、それぞれ添え柱３１の前面に重ね合わせて、ネジまたは釘などにより背板１９を添え柱３１に固定する。本実施例では、所定数のネジが、上下に等間隔に離隔して各添え柱３１にねじ込まれて背板１９が添え柱３１に固定される。
具体的には、本棚１１を添え柱３１に固定して耐震補強を行う際、背板１９を添え柱３１に固定するネジの個数により壁強さ倍率が変わる。つまり、ネジの個数を少なくすると補強強度が小さくなり、多くすると補強強度が大きくなる。ただし、ネジの個数を多くしすぎると、添え柱３１が破損するおそれがある。そこで、本棚１１を固定する位置に適応した個数のネジにより取り付ける必要があり、本実施例では、実験データや計算などに基づいた個数のネジを上下に等間隔にねじ込んで固定する。これにより、ネジの数が足りずに補強が不十分となったり、ネジの数が過剰となり添え柱３１を破損したりするおそれがなくなる。また、本実施例では、背板１９の幅方向両端部にネジが通される穴１９ａが上下に等間隔に離間して多数形成されており、使用されるネジの個数に応じていずれの穴１９ａを使用するか決定し、その決定した穴１９ａから添え柱３１にネジをねじ込めばよい。
【００２５】
次に、予め組み立てられた本棚本体部２５を、背板１９に固定する。
本実施例では、背板１９に室内側へ突出して設けられたピン２７が、側板１５に設けられる係止具４１に係止されて本棚本体部２５が背板１９に固定される。具体的には、図２および図３に示すように、側板１５には、その後面に後方へ開口する円形の第一穴４３が、上下に離隔して３つ形成されている。この第一穴４３は、背板１９に設けられたピン２７と対応した位置に形成されている。また、側板１５には、その後端部に、左右方向外側へ開口する円形の第二穴４５が形成されており、第一穴４３と第二穴４５とは連通している。
【００２６】
係止具４１は、略円柱形状とされ、その基端面中央部には十字状の溝４７が形成されている。また、係止具４１は、円弧状に湾曲した鎌形の係止片５１，５１が軸方向に離間して２つ残されるように、周側壁の一部が切り欠かれて径方向外側へ開口する凹部４９が形成されている。係止具４１は、側板１５の第二穴４５に回転可能にはめ込まれて設けられる。この際、係止具４１の凹部４９は第一穴４３と対応した位置に配置される。
【００２７】
本棚本体部２５を背板１９に固定する際、背板１９に固定されたピン２７の基端部を、側板１５の第一穴４３にはめ込むと共に、係止具４１の凹部４９にはめ込む。
そして、ドライバー等の工具を係止具４１の溝４７にはめ込み、係止具４１を回転させる。これにより、係止具４１の２つの鎌形の係止片５１が、ピン２７の溝２７ｂ内に入り込み、ピン２７の基端部を挟み込み係止する。係止具４１の係止片５１がピン２７の基端部を挟み持つことで、ピン２７の抜けが防止され、本棚本体部２５が背板１９に固定される。このようにして家屋の壁に本棚１１が固定され、耐震補強がなされる。しかも、本実施例では、既存の柱３に添え柱３１を固定することで、地震時などにおいて既存柱３の折損を防止でき、仮に柱３が長手方向中途部で折損しても添え柱３１により耐震性が維持される。
【００２８】
本実施例における本棚の構成は適宜変更可能である。
たとえば、図６に示すように、本棚１１の幅寸法を大きくしてもよい。上記実施例では、本棚１１は、隣接する２本の柱３，３間に設けられたが、図６では、３本の柱３，３，３に固定される。図示例では、左側の柱３（３Ａ）の右側面、中央の柱３（３Ｃ）の左右両側面、および右側の柱３（３Ｂ）の左側面にそれぞれ添え柱３１が固定されている。そして、これらの添え柱３１に背板１９がネジなどにより固定されて、背板１９に上記と同様にして、本棚本体部２５が固定される。また、本棚１１の幅寸法をさらに大きくして、図７に示すように４本の柱３に背板１９を固定するようにしてもよい。同様に、本棚の幅と、それを設置する柱の本数は適宜変更可能である。なお、背板１９は、１枚の板材により構成されてもよいし、複数枚に分離して構成されてもよい。
【００２９】
また、上記実施例では、背板１９を柱３に固定して本棚１１を設置したが、図８に示すように、柱３に一方の側板１５を固定し、この側板１５に底板１３、他方の側板１５、天板１７、背板１９、仕切板２１および棚板２３を取り付けてもよい。この際、一方の側板１５および棚板２３以外の板材１３，１５，１７，１９を予め組み立てたユニットを形成しておき、このユニットを一方の側板１５に固定し、その後、棚板２３を取り付ければよい。
【００３０】
また、上記実施例では、柱３に添え柱３１を固定し、この添え柱３１に背板１９を固定したが、図９に示すように、柱３に直接背板１９を固定し、この背板１９に本棚本体部２５を固定するようにしてもよい。
【００３１】
また、建築後、年数が経過して柱３が壁に対して垂直方向に傾斜している場合、つまり、柱３が室内外方向へ傾いている場合には、添え柱３１を柱３の側面に当接すると共に、床面に対して垂直に配置して柱３に固定し、この添え柱３１に背板１９を固定すればよい。これにより本棚１１を水平に設置することができる。
【００３２】
さらに、上記実施例では、収納家具として本棚を用いたが、本棚以外の収納家具を用いてもよい。たとえば、台所において戸棚を柱に固定するようにしてもよい。
図１０は、台所に戸棚を設けた状態を示す図であり、（ａ）は正面図であり、（ｂ）は横断面図である。
【００３３】
具体的には、台所の内壁を構成する既存の板材の一部を撤去し、上記実施例と同様に、柱３に取り付けられた添え柱３１に背板６５を固定する。図示例では、背板６５の上部に、上下に離隔して矩形板状の天板および底板６９が水平に固定され、これらの左右各端部に側板７１が垂直に固定される。そして、天板、底板６９および側板７１，７１により構成される矩形状の枠体を左右に分割するように仕切板７３が複数枚設けられる。また、仕切板７３により区切られた各空間部の開口部を開閉するように、それぞれ扉７５が設けられて、背板６５の上部に第一収納部７７が形成される。なお、扉７５の内、右端以外の扉７５は観音開き状に開閉する扉とされる。さらに、背板６５の下部には、複数の引き出し７９を有する第二収納部８３が形成され、第二収納部８３の上部にはＩＨ調理器やコンロなどが設置されている。また、図示例では、背板６５の下部に設けられる第二収納部８３と、背板６５の上部に設けられる第一収納部７７の左端部同士を連結するように第三収納部８５が設けられている。この第三収納部８５は、左右に離間して配置される側板８９，８９と、この側板８９，８９の上下端部に配置される天板９１および底板９３と、側板８９の中途に設けられる棚板９５とにより構成されている。なお、背板６５の内、正面に露出する箇所６５ａにパネルを重ね合わせて固定してもよい。
【００３４】
このように、柱に固定される背板または側板に取り付けられる各種部材は、適宜変更可能であり、部屋や場所に応じた収納家具を柱に固定すればよい。
【００３５】
ところで、上記実施例では、柱３に固定された添え柱３１に、背板１９を取り付けた後、本棚本体部２５を背板１９に固定したが、図１１に示すように、背板１９を含んだ状態で予め本棚１１を組み立てておき、この本棚１１の背板１９を添え柱３１に固定するようにしてもよい。図示例では、背板１９の幅方向両端面に側板１５の一端部を当接して固定している。これにより、本棚１１を添え柱３１に固定した際に、背板１９と側板１５との境界部が外部から見えず、意匠性がよい。また、図８に示す例では、柱３に固定された添え柱３１に、一方の側板１５を取り付けた後、その他の部材を側板１５に固定したが、予め組み立てておいた本棚１１の一方の側板１５を、添え柱３１に固定して本棚１１を設置するようにしてもよい。また、柱３に背板１９または側板１５を直接ネジなどで固定するようにしてもよい。
【００３６】
本発明の耐震補強工法は、上記実施例の構成に限らず、適宜変更可能である。
上記実施例では、家屋の外周の壁に適用したが、部屋を仕切る壁に適用してもよい。
また、上記実施例では、背板以外の板材を予め組み立てたユニットを、柱に固定した背板に取り付けたが、背板に順次各部材を取り付けて、収納家具を完成させてもよい。
また、上記実施例では、本棚は、台輪を介して床面に接地されたが、床面に直接接地するようにしてもよい。
さらに、上記実施例では、背板に側板を固定する際、ピンおよび係止具を使用したが、背板に各種部材を固定する手段および方法は適宜変更可能である。たとえば、ダボやネジなどで固定してもよい。
【符号の説明】
【００３７】
３  柱
１１  本棚（収納家具）
１５  側板
１９  背板
２５  本棚本体部（ユニット）
３１  添え柱
【図１】
0005492692.tif 000002
【図２】
0005492692.tif 000003
【図３】
0005492692.tif 000004
【図４】
0005492692.tif 000005
【図５】
0005492692.tif 000006
【図６】
0005492692.tif 000007
【図７】
0005492692.tif 000008
【図８】
0005492692.tif 000009
【図９】
0005492692.tif 000010
【図１０】
0005492692.tif 000011
【図１１】
0005492692.tif 000012